(57)【要約】本考案の技術的な手段を実施した後、片側のインストール方式を採用して、ユーザーが同時に入力装置及びタッチスクリーンに対してインタラクティブ操作を行うことを支え、且つスクリーンを遮らない。本発明は、インテリジェント端末用の入力装置、ハウジング、及びインテリジェント端末を提供するものである。前記入力装置は前記インテリジェント端末と通信するように連結されている。前記入力装置は少なくとも一つの操作部分と少なくとも一つの第一固定部を含む。受信した入力操作を前記インテリジェント端末の内に送信し、前記インテリジェント端末のスクリーンに前記入力操作を表示し、前記入力装置はハウジングを介して前記インテリジェント端末に組付けられて整合している。前記ハウジングの内側面は前記インテリジェント端末を取り囲む。前記ハウジングの外側面縦位置には、前記第一固定部と組付けられて整合された第二固定部が提供される。、前記第一固定部と前記第二固定部とが組立状態にある時に、前記入力装置は前記ハウジングを水平姿勢としたときの側方の片側にある。前記ハウジングと前記インテリジェント端末を組み立てた時に、前記第二固定部の内側面は、垂直姿勢の前記インテリジェント端末の頂部の端面或は底部の端面に接する。2021504817.tif 000003
2021504817.tif 000002
【特許請求の範囲】
【請求項１】
入力装置が、インテリジェント端末と通信して接続し、入力装置が受けた入力操作を前記インテリジェント端末に送信し、前記入力操作が前記インテリジェント端末のスクリーンに表示される、インテリジェント端末用の入力装置であって、
前記入力装置は少なくとも一つの操作部分と少なくとも一つの第一固定部を含み、
ハウジングを介して前記入力装置は前記インテリジェント端末に組み付けられ、前記ハウジングの内側面は前記インテリジェント端末を包み、前記ハウジングの外側面には、前記第一固定部を組み合わせる第二固定部を備え、
前記第一固定部は前記第二固定部と組立状態にある時に、前記入力装置は前記ハウジングを水平位置としたとき側方の片側にあり、
前記ハウジングと前記インテリジェント端末を組み立てる時に、前記第二固定部に対応する内側面は、前記インテリジェント端末の頂部の端面或は底部の端面に接することを特徴とする、前記入力装置。
【請求項２】
前記第一固定部と前記第二固定部は、差し入れ溝、ファスナー、ネジ、マグネット、ピンのうちの一種の接続機構或は少なくとも二種の前記接続機構の組合せであることを特徴とする請求項１に記載の入力装置。
【請求項３】
前記第一固定部は柱形の隆起部分であり、
前記第二固定部は差し入れ溝であり、前記差し入れ溝の内部空間形状は前記隆起部分に適応し、
前記入力装置が前記ハウジングと接続する時に、前記隆起部分を前記差し入れ溝に挿入することを特徴とする請求項１又は請求項2に記載の入力装置。
【請求項４】
前記操作部分はレバー、ボタン或はノブのうちの一種或は多種を含むことを特徴とする請求項１又は請求項2に記載の入力装置。
【請求項５】
前記操作部分は、ポテンショメータの構成する方向制御キーを含むことを特徴とする請求項4に記載の入力装置。
【請求項６】
前記ハウジングの内側面が前記インテリジェント端末を包むインテリジェント端末用のハウジングであって、前記ハウジングの外側面には、請求項1に記載の前記入力装置中の前記第一固定部を組み合わせる第二固定部を備えることを特徴とするハウジング。
【請求項７】
前記第一固定部は柱形の隆起部分であり、
前記第二固定部は差し入れ溝であり、前記差し入れ溝の内部空間形状は前記隆起部分に適応し、
前記入力装置と前記ハウジングを組み合わせる時に、前記隆起部分を前記差し入れ溝に挿入することを特徴とする請求項6に記載のハウジング。
【請求項８】
前記第一固定部がネジ固定部であり、前記第二固定部はネジであり、前記入力装置は、前記ハウジングを接続する時に、ネジが前記ネジ固定部を通して前記ネジ穴に接続することを特徴とする請求項6に記載のハウジング。
【請求項９】
前記ハウジングは環形部を含み、前記環形部の内側面が前記インテリジェント端末の側面を包むことを特徴とする請求項6〜８のいずれか一項に記載のハウジング。
【請求項１０】
前記ハウジングは底面を含み、前記環形部が前記底面辺縁に垂直であり、前記インテリジェント端末を前記底面及び環形部の構成する空間に置き、前記インテリジェント端末の背面は前記底面に接することを特徴とする請求項9に記載のハウジング。
【請求項１１】
請求項6に記載の前記ハウジングを含むインテリジェント端末。
【発明の詳細な説明】
【技術分野】
【０００１】
本発明は入力装置に関し、特にインテリジェント端末用の入力装置、ハウジング、及びインテリジェント端末に関する。
【背景技術】
【０００２】
科学技術の進歩と経済の発展とともに、スマートフォンやタブレットPC等の映像スクリーンを有するインテリジェント端末は、益々普及している。人々はタッチスクリーン或はインテリジェント端末上のボタンで前記インテリジェント端末とインタラクティブ操作を行う。ただし、テレビゲームなどのように比較的複雑なインタラクティブ操作を行う時には、インテリジェント端末自身の入力装置だけに頼って、つまり、タッチスクリーン及び限られたボタンだけでは、インタラクティブ操作の要件を満たし難く、手持ちの快適性は不足しており、タッチスクリーンを操縦している人さし指がスクリーンを遮り、ゲーム制御の精度に偏差が現れ易い、等の問題が存在し、ユーザーの操作体験に響く。
【０００３】
従来技術において、上記の問題に対して外部の入力装置を追加する方式を採用し、ゲームジョイスティックを例にとって、図1、図2、図3は既存の三種の外部入力装置をそれぞれしめす。図1に、インテリジェント端末を入力装置の内部にはめ込み、つまり、インテリジェント端末は入力装置と一体型に整合するものであり、インテリジェント端末の両端に入力装置の操作部があり、ユーザーは入力装置上の方向キーと機能キーでインテリジェント端末を操作する。図2において、インテリジェント端末は外付け入力装置と独立して接続し、インテリジェント端末はスクリーンの機能のみを実現し、全ての操作は外付け入力装置で完遂される。図3に、方向キーを単独に置き換えるのに用いるレバー装置を示し、この様なレバー装置はスクリーンに直接貼り着けられ、タッチスクリーンにより表示されるバーチャルなレバーを置き換えて、バーチャルなレバーを実在のレバーへと変える。上記の三種の入力装置には以下の問題がある：
【０００４】
１、 扱う時にスクリーンを遮って表示内容の判断に響き、例えば、図3に示すように、レバー装置はスクリーンを遮ることができる。
２、 装置を快適に保持することができず、運搬にも不適であり、例えば、図1に示すように、元のインテリジェント端末よりもホールドサイズは拡大している。
３、 インタラクティブ操作は不正確でとなり、操作技法を完全に反映させることができず、例えば、図2に示すように、タッチスクリーンとしての操作は行うことができない。
【発明の概要】
【発明が解決しようとする課題】
【０００５】
従来技術の欠陥を克服するために、本発明は、スクリーンを遮らない入力装置及び前記入力装置を組み合わせるハウジング、又は前記ハウジングを含むインテリジェント端末を提供し、ユーザーが入力装置及びタッチスクリーンを同時に操作することを可能にする。
【課題を解決するための手段】
【０００６】
添付の図面を参照して以下でさらに本実用新案の利点を詳細に説明する。
此処には、実施例を詳細に説明し、その実施例を図面に示す。以下の説明において図面に関し、他の説明をしていない場合、異なる図面中の同じ数字は同じ或は相似の要因を示す。以下の例において説明される実施の態様は、本発明の全ての実施態様を意味するものではない。むしろそれとは異なり、それらは、単に添付請求項に係る発明の一例を示した、本発明の幾つかの要素において一致する装置と方法の例示である。
【０００７】
本出願に使用する用語は、特定の実施例を説明する目的のためだけのものであり、本発明を限定するのを目とするものではない。本願における説明や添付請求項に使用される単数形の「一種」や「前記」や「その」は、それと異なる意味をはっきりと示す場合を除き、複数形をも含むことを意図している。。更に、本出願に使用される「及び/又は」は、一つ或は複数の関連した項目の、全ての可能な組合を含むことを意図していると理解されるべきである。
【０００８】
本願において第一の、第二のまたは第三の等の様な用語を採用して様々な情報を説明するが、これ等の情報は、それらの用語に限らないと理解されるべきである。これ等の用語は、単に同じ類の情報を互いに区別するために使われる。例えば、本願の発明の範囲を脱離することなしに、第一の情報が第二の情報と呼ばれ、同様に、第二の情報も第一の情報と呼ばれることができる。これは、文脈により決まるものであり、例えば、ここに使用される言葉「例えば」は、「…時」や「…際」や「に応じて」と解釈される。
【０００９】
本出願の説明には、用語「縦」、「横」、「上」、「下」、「前」、「後」、「左」、「右」、「垂直」、「水平」、「上部」、「下部」、「内側」、「外側」等の指示方位または位置関係は、図面における方位或は位置関係であり、本発明を説明するうえで簡潔にし、理解に便利であるためであり、言及された装置または要素を必ず特定の方位にし、特定の方位で構成し、操作することを意味するものではないと理解される必要があり本発明を限定するものと理解されるべきではない。
【００１０】
本発明の説明においては、他の特別な限定がされていない限り、専門用語「インストール」、「連接」、「接続」を広義に解説されるべきである。例えば、これらは機械的の接続であっても電気的の接続であってもよく、又は二つの構成要素の内部的な接続であっても、また直接接続であっても、又は仲介者を介する間接接続であってもよい。当業者にとっては、上記の用語の特定の意味を、特定の状況に従って理解することができるものである。
【００１１】
以下の説明においては、構成要素を示すのを用いる「モジュール」、「部品」または「ユニット」様な接尾辞は、本発明の説明に有利だからであり、それ自身に特定の意味を持たせたものではない。そのため、「モジュール」と「部品」を混合して使用することができる。
【００１２】
上述の欠点を克服するために、本発明は、捜査中にタッチスクリーンを遮蔽することのない、入力装置に適合したハウジングを有し、使用者が入力装置とタッチスクリーンの両者を同時に操作することに資する、上記ハウジングを含むインテリジェント端末を提供する。
【００１３】
本発明は、インテリジェント端末用の入力装置を開示するものであり、前記入力装置は前記インテリジェント端末と通信して接続し、受信した入力操作を前記インテリジェント端末内に送信し、前記入力操作は前記インテリジェント端末のスクリーンに表示されるものであり、前記入力装置は少なくとも一つの操作部分と少なくとも一つの第一固定部を含み、前記入力装置は前記インテリジェント端末にハウジングを通して組付けられて適合し、前記ハウジングの内側面は前記インテリジェント端末を包み、前記ハウジングの外側面には、前記第一固定部を組み合わせる第二固定部を備え、前記第一固定部が前記第二固定部と組立状態にある時に、前記入力装置は前記ハウジングが水平姿勢方向のときに片横側にあり、前記ハウジングと前記インテリジェント端末を組み立てた時に、前記第二固定部に対応する内側面は、前記インテリジェント端末を縦位置にしたときの頂部の端面或は底部の端面で接する。
【００１４】
好ましくは、前記第一固定部と前記第二固定部は、差し入れ溝、ファスナー、ネジ、マグネット、ピンのうちの一種の接続機構或は少なくとも二種の前記接続機構の組合せなどの如何なる接続機構でもよい。
【００１５】
好ましくは、前記第一固定部は柱形の隆起部分であり、前記第二固定部は差し入れ溝であり、前記差し入れ溝の内部空間形状は前記隆起部分に適応し、前記入力装置が前記ハウジングを接続する時に、前記隆起部分を前記差し入れ溝に挿入する。
好ましくは、前記操作部分はレバー、ボタン或は回転ノブのうちの一種或は多種を含む。
好ましくは、前記操作部分は、ポテンショメータで構成する方向制御キーを含む。
【００１６】
本発明は、インテリジェント端末用のハウジングを更に開示し、前記ハウジングの内側面は前記インテリジェント端末を包み、前記ハウジングの外側面には、前記入力装置中の前記第一固定部を組み合わせる第二固定部を備える。
好ましくは、前記第一固定部は柱形の隆起部分であり、前記第二固定部は差し入れ溝であり、前記差し入れ溝の内部空間形状は前記隆起部分に適応し、前記入力装置と前記ハウジングを組み合わせる時に、前記隆起部分を前記差し入れ溝に挿入する。
【００１７】
好ましくは、前記第一固定部がネジ固定部であり、前記第二固定部はネジ穴であり、前記入力装置が前記ハウジングと接続する時に、ネジが前記ネジ固定部を通して前記ネジ穴を接続する。好ましくは、前記ハウジングは環形部を含み、前記環形部の内側面が前記インテリジェント端末の側面を包む。
好ましくは、前記ハウジングは底面を含み、前記環形部は前記底面辺縁においてこれに垂直であり、前記インテリジェント端末を前記底面及び環形部で構成する空間に置き、前記インテリジェント端末の背面は前記底面に接する。
【００１８】
本発明は、前記ハウジングを含むインテリジェント端末を更に開示する。
以上の技術的な手段を採用した後、以下の有益な効果が具わる。
１、片側からのインストール方式を採用しているので、ユーザーが同時に入力装置及びタッチスクリーンに対してインタラクティブ操作を行うことができる。
２、スクリーンを遮らず、ユーザーが全ての表示内容を見るのに都合がよい。
３、入力装置の寸法を低減し、ユーザーが保持するのに都合がよい。
【図面の簡単な説明】
【００１９】
【図１】図1は、従来技術における一種の入力装置である。
【図２】図2は、従来技術におけるもう一種の入力装置である。
【図３】図3は、従来技術におけるさらにもう一種の入力装置である。
【図４】図4は、本発明の好適な実施例におけるインテリジェント端末用の入力装置及びハウジングを示す概略図である。
【図５】図5は、本発明の好適な実施例におけるインテリジェント端末を示す結構概略図である。
【符号の説明】
【００２０】
1-インテリジェント端末、2-入力装置、3-操作部分、4-ハウジング、5-第一固定部、6-第二固定部、7-スクリーン
【発明を実施するための形態】
【００２１】
図4に、本発明の一つの実施例におけるインテリジェント端末１のための入力装置2及びハウジング4の構成概略図を示し、前記入力装置２は前記インテリジェント端末１を通信して接続され、入力装置２は受信した入力操作を前記インテリジェント端末１に送信し、前記入力操作は前記インテリジェント端末1のスクリーンに表示される。前記入力装置2は前記インテリジェント端末１をブルートゥース（登録商標）通信で接続してもよく、接続の前にブルートゥースペアリングを行う必要がある。
【００２２】
前記入力装置2は、次に掲げるものを含む：
- 操作部分3
前記操作部分3はユーザーの操作を受信するのに用いる部品であり、レバー、ボタン或はノブのうちの一種或は多種である可能性がある。前記入力装置2に一つの操作部分3のみを設置することができ、複数の操作部分3も設置することができる。  前記操作部分3は前記入力装置2の同じ側面に設置され、集中分布に都合がよく、ユーザーの操作を便利なものにする。
【００２３】
- 第一固定部5
前記第一固定部5は、前記入力装置2の側面に設定されて前記入力装置2をインストールし固定するのに用いる。ハウジング4を介して前記入力装置2が前記インテリジェント端末1に組付けられ適合され、前記ハウジング4の内側面は前記インテリジェント端末1を包む。前記ハウジング4の外側面には、前記第一固定部5を組み合わせる第二固定部6を備える。前記第一固定部5は前記第二固定部6と組立状態にある時に、前記入力装置2は前記ハウジングを水平姿勢にして側方片側にある。前記ハウジング4と前記インテリジェント端末1を組み立てる時、前記第二固定部6に対応する内側面は、前記インテリジェント端末1の頂部の端面或は底部の端面に接する。
【００２４】
本態様において、前記入力装置2は前記インテリジェント端末1に対して、直接組み付けるのではなく、前記ハウジング4を介して組み付ける。主流となっているインテリジェント端末1の外形は、比較的滑らかな表面として通常設計され、差し入れ溝、ファスナー等の様な機械装置の結合機構が具わらない。そのため、前記インテリジェント端末1を包む前記ハウジング4の様な部材を掛け橋として使用する必要があり、前記ハウジング4の内部空間は、前記インテリジェント端末1の外形寸法に適合したものとする。人々は、インテリジェント端末1を使用する時、多くの場合インテリジェント端末1に外被、例えば、携帯電話外被を取り付けるものである。従って、この様な外皮を前記ハウジング4として使うことにより、新しい部品を追加する必要無しに二重の目的を果たすことが出来る。前記入力装置2が前記ハウジング4を接続することは、前記第一固定部5と第二固定部6とを組み付けることにより実現する。
【００２５】
前記第二固定部6に対応する垂直方向の内側面は、前記インテリジェント端末の頂部の端面或は底部の端面に接するので、前記インテリジェント端末1をインストールした際には前記第二固定部6の内側の対応面にインテリジェント端末１が位置し、前記第一固定部5は前記第二固定部6の所在する外側面に取り付けられ、つまり、前記入力装置2は前記第二固定部6の所在する外側面に取り付けられる。そのため、前記入力装置2と前記インテリジェント端末1とは前記第二固定部6のそれぞれの側に取り付けられ、前記インテリジェント端末の片方に前記入力装置2をインストールするインストール方式が達成される。
【００２６】
前記入力装置2が前記インテリジェント端末１に接続される時には、先ず前記インテリジェント端末1を前記ハウジング4内に設置し、次に前記入力装置2を前記ハウジング4に接続する。前記入力装置2を接続する時に、ユーザーの操作の利便のために前記操作部分3が前記スクリーン7と同じ側面にあることが確実にされる。
【００２７】
更に、前記第一固定部5と前記第二固定部6は、いかなる接続機構でもよく、差し入れ溝、ファスナー、ネジ、マグネット、ピンのうちの一種の接続機構或は少なくとも二種の前記接続機構の組合せであってよい。改善した本実施例は、前記第一固定部5及び前記第二固定部6として、接続機構の優先方式を限定して、前記入力装置2及び前記ハウジング4を接続し固定する。前記接続機構は、差し入れ溝、ファスナー、ネジ、マグネット、ピン等の具現する構造である可能性があり、その中の任意の一種の構造を選択して接続機構としてもよく、その中の二種或は二種以上の接続機構を選択して前記第一固定部5及び第二固定部6を実現してもよい。前記接続機構が差し入れ溝である時、前記第一固定部5或は前記第二固定部6は差し入れ溝であり、それに応じて、前記第一固定部6或は前記第二固定部5は、差し入れ溝を付け合せる隆起部分である。前記接続機構がファスナーである時に、前記第一固定部5或は前記第二固定部6はファスナーであり、それに応じて、前記第一固定部6或は前記第二固定部5は、ファスナーを付け合せるクランプ端である。
【００２８】
前記接続機構がネジである時に、前記第一固定部5或は前記第二固定部6にねじを締め付けるねじ穴が備わり、それに応じて、前記第一固定部6或は前記第二固定部5にネジの通るネジ固定部を備える。前記接続機構がマグネットである時に、前記第一固定部5或は前記第二固定部6にマグネットが備わり、それに応じて、前記第一固定部6或は前記第二固定部5に鉄磁性金属或は磁石を備える。前記接続機構がピンである時に、前記第一固定部5或は前記第二固定部6にピンを契合するピン穴を備え、それに応じて、前記第一固定部6或は前記第二固定部5にピンの通るピン固定部を備える。
【００２９】
更に、前記第一固定部5は柱形の隆起部分であり、前記第二固定部6は差し入れ溝であり、前記差し入れ溝の内部空間形状は前記隆起部分に適応し、前記入力装置2に前記ハウジング4を組み合わせる時に、前記隆起部分を前記差し入れ溝に挿入する。改善した本実施例においては、差し入れ溝の接続方式を採用して前記第一固定部5が前記第二固定部6を組み合わせることを実現し、ユーザーの取り外しを便利にするのであり、前記入力装置2を使用する必要がない時に、前記入力装置2を前記差し入れ溝の伸長方向に沿って滑らせて取り外す。
【００３０】
更に、前記隆起部分は台形であり、前記台形の上底辺は前記入力装置2を接続する。前記隆起部分の断面が台形であり、つまり、前記台形の上底辺は、前記台形の二つの平行辺のうちの短辺である。この様な設置は、前記台形の上底辺に前記入力装置2を接続させ、下底辺が外側に向く。前記隆起部分は前記差し入れ溝を接続する時に、前記台形の作用で前記隆起部分を前記差し入れ溝にがっしりと固定する。前記入力装置2は、前記台形の高さの方向に沿って移動することはできず、前記隆起部分の柱形の側辺の方向に沿って滑ることしかできない。それに応じて、前記第二固定部6は、即ち、差し入れ溝の内部空間も前記隆起部分の寸法に相応する台形である。
【００３１】
更に、前記隆起部分の断面は非対称図形であり、前記入力装置2が前記ハウジング4を接続する時、前記操作部分3の所在する外側面は唯一の方向に向く。この様な設計は、前記操作部分3が前記インテリジェント端末1のスクリーン7と同じ側面にあることを保証する。前記隆起部分の断面は対称図形であると、前記入力装置2が前記ハウジング4と接続される時、前記操作部分3の所在する片面は、上にも向かせるし、下にも向かせる。これはすなわち、二つの方向にインストールする可能性がある。改善した本実施例においては、非対称図形の隆起部分の断面を採用しているので、前記入力装置2は同じ方向だけに向いたインストールしかできず、同時に、前記インテリジェント端末1に前記ハウジング4を取り付ける時にスクリーン7の片面の向きが決定されることを保証する。
【００３２】
前記ハウジング4が、片面のみを締め切らない陥凹形状に設計されると、前記インテリジェント端末1のインストール方式は、必ずスクリーン7の片側が締め切られない片面に向くものとなり、こうして、前記入力装置2と前記インテリジェント端末1とのインストール方向は決定され、前記操作部分3と前記スクリーン7が同じ側にあることが保証される。それに応じて、前記第二固定部6は、即ち、差し入れ溝の内部空間の断面も前記隆起部分の断面寸法に相応した非対称図形である。
【００３３】
本考案の他の実施例では、前記隆起部分はI形やT形、またはその他の形状になる。
本考案のもう一つの実施例では、前記第一固定部5がネジ固定部である。前記第二固定部6はネジである。前記入力装置2は、前記ハウジング4を接続する時に、ネジが前記ネジ固定部を通して前記ネジ穴と接続する。本実施例では、ネジ固定方式を採用する。前記ネジ固定部は、前記入力装置2の片側面の両端から伸びる薄片である可能性があり、前記薄片に孔があり、前記ネジが前記孔を通って前記第二固定部6と組み付けられ、前記ネジ穴には前記ネジが螺合する雌ネジがある。
【００３４】
更に、前記ハウジング4に非対称位置のネジ穴を備え、それに応じて非対称のネジ固定部が前記入力装置2に備えられる。前記ネジ固定部は、前記ネジ穴の位置に対応する時だけ、インストールすることができ、前記操作部分2が唯一の方向に向くことを保証する。
本考案の他の実施状態では、前記入力装置2と前記ハウジング4の接続方式は、ファスナー接続である可能性もあり、つまり、前記入力装置2及びハウジング4には対応するファスナー機構が備わるものであり、又はガイドウェイ接続である可能性もあり、その場合前記入力装置2及びハウジング4にガイドウェイとガイドウェイに対応したクランプ部がそれぞれ備わる。
【００３５】
前記入力装置2のさらなる改善としては、前記操作部分3はレバー、ボタン或はノブのうちの一種或は多種を含む。前記入力装置2に様々な操作部分3を配置することができる。例えば、レバーとボタンの組合せ、又はボタンとノブの組合せ。一種の操作部分3のみも配置することができる。前記操作部分3は、ポテンショメータの構成する方向制御キーである可能性があり、ユーザーが多くの方向の操作を行うことを可能にし、操作の自由度が高いものとなる。
【００３６】
前記入力装置2のさらなる改善としては、前記ハウジング4は環形部を含み、前記環形部の内側面が前記インテリジェント端末の側面を包む。前記インテリジェント端末1の外形が平滑な連続面であるので、前記インテリジェント端末の側面、特に細い側面だけを包むと良い固定効果を達成し、前記インテリジェント端末１が前記ハウジング4から滑り落ちるのを防止する。
【００３７】
更に、前記ハウジング4は底面を含み、前記環形部が前記底面辺縁に垂直である。前記インテリジェント端末を前記底面及び環形部で構成する空間に置き、前記インテリジェント端末1の背面は前記底面に接する。改善した本実施例は、前記ハウジング4が半ば締め切る空間を構成し、片面だけに空き窓があり、つまり、前記底面に対向する片面に空き窓があるので、前記インテリジェント端末を空き窓のある片面を通して前記ハウジング4にはめ込む。同時に、前記インテリジェント端末1のスクリーン7が唯一の方向に向くことを保証する。
【００３８】
更に、前記ハウジング4は上蓋部を含み、前記上蓋部は、前記環形部の長辺を可動接続し、開いた状態或は閉めた状態にそれぞれある。前記上蓋部は前記底面に対向して設置され、且つ可動接続方式であり、前記環形部の連接部を軸として捲られて移動することができる。改善した本実施例は、前記インテリジェント端末1の様々な状況での使用状態を考える。前記入力装置2を使用する時に、前記上蓋部を開くと、前記スクリーン７が露出し、ユーザーがスクリーン7を観覧するのに都合がよい。前記スクリーン7がタッチスクリーンである場合には、タッチ操作も行うことができる。前記入力装置2を使用せず、又はユーザーが前記インテリジェント端末1を使わない時には、前記上蓋部を閉めると、前記スクリーン7は前記上蓋部に遮られ、外部からの損傷からスクリーン7を保護する。
【００３９】
本発明の他の実施態様においては、前記入力装置2と前記ハウジング4は一体型であり、例えば、一体型のプラスチック構造或は金属構造であり、このことは同時に、前記入力装置2を前記インテリジェント端末1にどのようにして接続するかという問題を解決する。
本発明は、さらに、前記ハウジング4を含むインテリジェント端末1を開示する、。前記インテリジェント端末1は、前記第二固定部6のハウジング4が備わるように設計される。前記ハウジング4と前記インテリジェント端末1が全体として前記入力装置2を接続することを実現する。
【００４０】
前記スクリーン7はタッチスクリーンであってよく、ユーザーは、使用する時前記インテリジェント端末1を横に置き、片手で前記入力装置2を操縦し、もう片手で前記タッチスクリーンを扱うことができる。
本発明の実施例より良い実施態様があり得て、本発明はこの実施例の形式で限定する意図はない。本技術の分野に熟知する任意の当業者は、上記の開示された技術内容を利用して同一の有効な実施例に変更し或は修飾することができるが、本発明の趣旨及び範囲から逸脱しない内容であるならば、本発明の技術本質により上記の実施例に対する任意の修正或は同一の変更及び修飾は、やはり本発明の範囲内にあることに注意を払うべきである。
【図１】
2021504817.tif 000004
【図２】
2021504817.tif 000005
【図３】
2021504817.tif 000006
【図４】
2021504817.tif 000007
【図５】
2021504817.tif 000008
【国際調査報告】
2021504817.tif 000009
2021504817.tif 000010
2021504817.tif 000011
2021504817.tif 000012